(57)【要約】【課題】浴室暖房乾燥機に使用されるフィルターを、清掃しやすい形状にすることを目的とする。【解決手段】吸込口３、排気口４、および送風装置５を有する本体１と、前記吸込口３に設けられるフィルター６と、を備えた浴室暖房乾燥機であって、フィルター６はフィルター部７と取っ手部８とを含み、取っ手部８はフィルター部７を支持し、フィルター部７と取っ手部８とを分離可能な構成にしたことにより、清掃の際に簡単に分解して小さくすることができ、洗いやすくすることのできるフィルター６を得られる。【選択図】図３
2019174100.tif 000002
【特許請求の範囲】
【請求項１】
吸込口、排気口、および送風装置を有する本体と、
前記吸込口に設けられるフィルターと、を備えた浴室暖房乾燥機であって、
前記フィルターは、フィルター部と、取っ手部とを含み、
前記送風装置により前記吸込口から吸い込まれた空気は、前記フィルター部を通過した後に前記排気口から排気され、
前記取っ手部は、前記フィルター部を支持し、
前記フィルター部と前記取っ手部とが分離可能であることを特徴とする浴室暖房乾燥機。
【請求項２】
前記フィルター部は、第１フィルター部と、第２フィルター部とを含み、
前記送風装置により前記吸込口から吸い込まれた空気は、前記第１フィルター部または第２フィルター部を通過した後に前記排気口から排気され、
前記第１フィルター部と前記第２フィルター部とが分離可能であることを特徴とする請求項１に記載の浴室暖房乾燥機。
【請求項３】
前記第１フィルター部は、第１ネット部分と、第１フレーム部分とを含み、
前記第１フレーム部分は、凸部を有し、
前記第２フィルター部は、第２ネット部分と、第２フレーム部分とを含み、
前記送風装置により前記吸込口から吸い込まれた空気は、前記第１ネット部分または前記第２ネット部分を通過し、前記第２フレーム部分は、凹部を有し、
前記第１フレーム部分と前記第２フレーム部分は、前記凸部と前記凹部とが係合することで密着して接続されることを特徴とする請求項２に記載の浴室暖房乾燥機。
【請求項４】
前記フィルター部は、第１フィルター部と、第２フィルター部とを含み、
前記送風装置により前記吸込口から吸い込まれた空気は、前記第１フィルター部または第２フィルター部を通過した後に前記排気口から排気され、
前記第１フィルター部は、第１摺動部分を含み、
前記第２フィルター部は、第２摺動部分を含み、
前記取っ手部は、レール部分を含み、
前記第１フィルター部は、前記第１摺動部分が前記レール部分を摺動して前記取っ手部に取り付けられ、
前記第２フィルター部は、前記第２摺動部分が前記レール部分を摺動して前記取っ手部に取り付けられることを特徴とする請求項１〜３のいずれか１項に記載の浴室暖房乾燥機。
【請求項５】
前記取っ手部は、フィルター接続部分を含み、
前記第１フィルター部は、第１係合部分と第１接続部分とを含み、
前記第２フィルター部は、第２係合部分と第２接続部分とを含み、
前記第１フィルター部と前記第２フィルター部において、前記第１係合部分と前記第２係合部分とが係合し、
前記第１フィルター部は、前記第１接続部分により前記フィルター接続部分と接続され、前記第２フィルター部は、前記第２接続部分により前記フィルター接続部分と接続されることを特徴とする請求項２に記載の浴室暖房乾燥機。
【請求項６】
前記第１フィルター部と前記第２フィルター部とは同一形状であり、
前記第１係合部分および前記第２係合部分は、前記フィルター接続部分に接続可能であることを特徴とする請求項５に記載の浴室暖房乾燥機。
【請求項７】
前記第１係合部分および前記第１接続部分は、第１突起を有し、
前記第２係合部分および前記第２接続部分は、第２突起を有し、
前記フィルター接続部分は、第３突起を有し、
前記第１係合部分および前記第１接続部分は、第１穴を有し、
前記第２係合部分および前記第２接続部分は、第２穴を有し、
前記フィルター接続部分は、第３穴を有し、
前記第１突起は、前記第２穴もしくは前記第３穴と嵌合し、
前記第２突起は、前記第１穴もしくは前記第３穴と嵌合し、
前記第３突起は、前記第１穴もしくは前記第２穴と嵌合し、
前記第１突起、前記第１穴、前記第２突起、および前記第２穴により、前記第１フィルター部と前記第２フィルター部は密着して接続され、
前記第１突起、前記第１穴、前記第３突起、および前記第３穴により、前記第１フィルター部と前記取っ手部は密着して接続され、
前記第２突起、前記第２穴、前記第３突起、および前記第３穴により、前記第２フィルター部と前記取っ手部は密着して接続されることを特徴とする請求項６に記載の浴室暖房乾燥機。
【請求項８】
前記フィルター接続部分は、支持面を含み、
前記第１接続部分および前記第２接続部分と前記フィルター接続部分とが接続される下方において、前記支持面は、前記第１接続部分の一部および前記第２接続部分の一部と当接することを特徴とする請求項５〜７のいずれか１項に記載の浴室暖房乾燥機。
【請求項９】
前記フィルター部は、
前記送風装置により前記吸込口から吸い込まれた空気が通過するネット部分と、
前記ネット部分を支持するフレーム部分と、
前記フレーム部分に設けられる係合軸と、を含み、
前記取っ手部は、
前記係合軸と係合する軸保持部分と、
前記軸保持部分から延設され、前記フレーム部分の一部と当接する当接面と、を含むことを特徴とする請求項１に記載の浴室暖房乾燥機。
【請求項１０】
吸込口、排気口、および送風装置を有する本体と、
前記吸込口に設けられるフィルターと、を備えた浴室暖房乾燥機であって、
前記送風装置により前記吸込口から吸い込まれた空気は、前記フィルターを通過した後に前記排気口から排気され、
前記フィルターは、折り畳み可能であることを特徴とする浴室暖房乾燥機。
【請求項１１】
前記フィルターは、フック部を有する第１フィルター部と、折り畳み軸を有する第２フィルター部と、を含み、
前記フック部と前記折り畳み軸との係合により、前記第１フィルター部と前記第２フィルター部とが接続されることを特徴とする請求項１０に記載の浴室暖房乾燥機。
【請求項１２】
前記フィルターは、第１フィルター部と、第２フィルター部と、折り線部とを含み、
前記折り線部を支点に前記第１フィルター部もしくは前記第２フィルター部が回動することで、前記フィルターは折り畳まれることを特徴とする請求項１０に記載の浴室暖房乾燥機。
【発明の詳細な説明】
【技術分野】
【０００１】
本発明は、送風装置内への塵埃侵入を防ぐフィルターを備えた浴室暖房乾燥機に関するものである。
【背景技術】
【０００２】
従来、この種のフィルターと、それを備えた浴室暖房乾燥機は以下のものが知られている（例えば、特許文献１参照）。
【０００３】
以下、図１８および図１９を参照しながら説明する。
【０００４】
図１８に示すように、浴室暖房乾燥機の本体１０１にはフロントパネル１０２が取り付けられている。また、フロントパネル１０２は、風を吸い込む吸込口１０３と、風を吹き出す吹出口１０５を備えており、吸込口１０３は、浴室暖房乾燥機の本体１０１内への塵埃の侵入を防ぐためのフィルター１０４を備えている。
【０００５】
図１９に示すように、フィルター１０４は、塵埃を捕集するネット１０６と、ネット１０６を支持するフィルター枠１０７と、フロントパネル１０２からフィルター１０４を引き出すための取っ手１０８を備えている。
【先行技術文献】
【特許文献】
【０００６】
【特許文献１】特開２０１５−２１２６１１号公報（第８−９頁、第１図、第２図）
【発明の概要】
【発明が解決しようとする課題】
【０００７】
浴室暖房乾燥機に用いられるフィルターは、運転時の圧損低減のため吸込口全体を覆うことができる程度の大きさが必要であり、また、汚れがひどい場合等には水洗いして清掃することがある。しかし、上述したような従来の浴室暖房乾燥機に用いられるフィルターにおいては、ネット部分を含むフィルター部と取っ手部とが一体の構成となっていたので、清掃の際はフィルター全体が入る大きさの容器が必要となり、洗いにくいという課題を有していた。
【０００８】
そこで本発明は、上記従来の課題を解決するものであり、簡単に小型化し、洗いやすいフィルターを備えた浴室暖房乾燥機を提供することを目的とする。
【課題を解決するための手段】
【０００９】
そして、この目的を達成するために、本発明の一態様に係る浴室暖房乾燥機は、吸込口、排気口、および送風装置を有する本体と、前記吸込口に設けられるフィルターと、を備えた浴室暖房乾燥機であって、前記フィルターは、フィルター部と、取っ手部とを含み、前記送風装置により前記吸込口から吸い込まれた空気は、前記フィルター部を通過した後に前記排気口から排気され、前記取っ手部は、前記フィルター部を支持し、前記フィルター部と前記取っ手部とが分離可能であるとしたものであり、これにより所期の目的を達成するものである。
【発明の効果】
【００１０】
本発明によれば、清掃の際にフィルターを分解して小さくすることができるため、フィルターを清掃しやすいという効果を得ることができる。
【図面の簡単な説明】
【００１１】
【図１】本発明の実施の形態１のフィルターとそれを用いた浴室暖房乾燥機の側面図
【図２】同フィルターとそれを用いた浴室暖房乾燥機の斜視図
【図３】同フィルターの斜視図
【図４】同フィルターの第１フィルター部、および第２フィルター部の斜視図
【図５】同フィルターの取っ手部に第１フィルター部、および第２フィルター部を取り付けている状態の斜視図
【図６】同フィルターの正面図
【図７】本発明の実施の形態２のフィルターの斜視図
【図８】同フィルターの第１フィルター部の上面図
【図９】同フィルターの取っ手部に第１フィルター部、および第２フィルター部を取り付けている状態の斜視図
【図１０】本発明の実施の形態３のフィルターの取っ手部の斜視図、および側面図
【図１１】同フィルター部の斜視図
【図１２】同フィルターの取っ手部に第１フィルター部、および第２フィルター部を取り付けている状態の斜視図
【図１３】本発明の実施の形態４のフィルターを展開した斜視図
【図１４】同フィルター部の斜視図、および側面図
【図１５】同フィルターを折り畳んだ状態の斜視図、および側面図
【図１６】本発明の実施の形態５のフィルターの斜視図、および側面図
【図１７】同フィルターを折り畳んだ状態の斜視図
【図１８】従来のフィルターとそれを用いた浴室暖房乾燥機の斜視図
【図１９】従来のフィルターの斜視図
【発明を実施するための形態】
【００１２】
本発明の一態様に係る浴室暖房乾燥機は、吸込口、排気口、および送風装置を有する本体と、前記吸込口に設けられるフィルターと、を備えた浴室暖房乾燥機であって、前記フィルターは、フィルター部と、取っ手部とを含み、前記送風装置により前記吸込口から吸い込まれた空気は、前記フィルター部を通過した後に前記排気口から排気され、前記取っ手部は、前記フィルター部を支持し、前記フィルター部と前記取っ手部とが分離可能であるという構成を有する。これにより、フィルター部と取っ手部が分離可能であるので、フィルター、特にフィルター部を清掃しやすいという効果を奏する。
【００１３】
また、前記フィルター部は、第１フィルター部と、第２フィルター部とを含み、前記送風装置により前記吸込口から吸い込まれた空気は、前記第１フィルター部または第２フィルター部を通過した後に前記排気口から排気され、前記第１フィルター部と前記第２フィルター部とが分離可能であるという構成にしてもよい。これにより、フィルター部を複数に分解できるので、清掃時にフィルターを小型化できるという効果を奏する。つまり、特に清掃が必要なフィルター部を小さくすることができるので洗いやすくなるという効果を奏する。
【００１４】
また、前記第１フィルター部は、第１ネット部分と、第１フレーム部分とを含み、前記第１フレーム部分は、凸部を有し、前記第２フィルター部は、第２ネット部分と、第２フレーム部分とを含み、前記送風装置により前記吸込口から吸い込まれた空気は、前記第１ネット部分または前記第２ネット部分を通過し、前記第２フレーム部分は、凹部を有し、前記第１フレーム部分と前記第２フレーム部分は、前記凸部と前記凹部とが係合することで密着して接続されるという構成でもよい。つまり、各フィルター部はフィルター部分とフレーム部分から成り、第１フィルターのフレーム部分と、第２フィルターのフレーム部分が、凹凸により係合するという構成にしてもよい。これにより、第１フィルターと第２フィルターが密着して接続され、フィルター部分を通らずに空気が流入することを抑制できるという効果を奏する。
【００１５】
また、前記フィルター部は、第１フィルター部と、第２フィルター部とを含み、前記送風装置により前記吸込口から吸い込まれた空気は、前記第１フィルター部または第２フィルター部を通過した後に前記排気口から排気され、前記第１フィルター部は、第１摺動部分を含み、前記第２フィルター部は、第２摺動部分を含み、前記取っ手部は、レール部分を含み、前記第１フィルター部は、前記第１摺動部分が前記レール部分を摺動して前記取っ手部に取り付けられ、前記第２フィルター部は、前記第２摺動部分が前記レール部分を摺動して前記取っ手部に取り付けられる構成であってもよい。つまり、フィルター部には摺動部分を設け、取っ手部にはレール部分を設けたという構成にしてもよい。これにより、フィルター部は、摺動部分がレール部分を摺動して取っ手部に取り付けられることとなるので、フィルター部を取っ手部に取り付けやすくなるという効果を奏する。
【００１６】
また、前記取っ手部は、フィルター接続部分を含み、前記第１フィルター部は、第１係合部分と第１接続部分とを含み、前記第２フィルター部は、第２係合部分と第２接続部分とを含み、前記第１フィルター部と前記第２フィルター部において、前記第１係合部分と前記第２係合部分とが係合し、前記第１フィルター部は、前記第１接続部分により前記フィルター接続部分と接続され、前記第２フィルター部は、前記第２接続部分により前記フィルター接続部分と接続されるという構成であってもよい。つまり、第１フィルター部と第２フィルター部と取っ手部にそれぞれ係合部分を設けたという構成にしてもよい。これにより、各フィルター部と取っ手部が嵌合によって接続されるので、フィルターを組み立てやすくなるという効果を奏する。
【００１７】
また、前記第１フィルター部と前記第２フィルター部が同一形状であり、前記第１係合部分および前記第２係合部分は、前記フィルター接続部分に接続可能であるという構成にしてもよい。これにより、同じ形状の部品でフィルターを組み立てることになるので、さらにフィルターを組み立てやすくなると同時に、フィルター部の製造コストを抑えることができるという効果を奏する。
【００１８】
また、第１フィルター部と第２フィルター部と取っ手部の係合部分にそれぞれ突起と穴を設けたという構成にしてもよい。つまり、前記第１係合部分および前記第１接続部分は、第１突起を有し、前記第２係合部分および前記第２接続部分は、第２突起を有し、前記フィルター接続部分は、第３突起を有し、前記第１係合部分および前記第１接続部分は、第１穴を有し、前記第２係合部分および前記第２接続部分は、第２穴を有し、前記フィルター接続部分は、第３穴を有し、前記第１突起は、前記第２穴もしくは前記第３穴と嵌合し、前記第２突起は、前記第１穴もしくは前記第３穴と嵌合し、前記第３突起は、前記第１穴もしくは前記第２穴と嵌合し、前記第１突起、前記第１穴、前記第２突起、および前記第２穴により、前記第１フィルター部と前記第２フィルター部は密着して接続され、前記第１突起、前記第１穴、前記第３突起、および前記第３穴により、前記第１フィルター部と前記取っ手部は密着して接続され、前記第２突起、前記第２穴、前記第３突起、および前記第３穴により、前記第２フィルター部と前記取っ手部は密着して接続されるという構成であってもよい。これにより、フィルター部と取っ手部を接続する際に、接続部分の突起と穴が嵌合するので、フィルター部と取っ手部との接続が安定するという効果を奏する。また、フィルター部同士の接続においても、それぞれに設けられた係合部分同士が係合することで接続が安定するという効果を奏する。
【００１９】
また、取っ手部のフィルター接続部分は支持面を含むという構成にしてもよい。つまり、前記フィルター接続部分は、支持面を含み、前記第１接続部分および前記第２接続部分と前記フィルター接続部分とが接続される下方において、前記支持面は、前記第１接続部分の一部および前記第２接続部分の一部と当接するという構成であってもよい。これにより、支持面がフィルター部と取っ手部の係合部分と当接するので、フィルター部と取っ手部との接続が安定し、またフィルター部と取っ手部との接続面からの空気の流入を抑制するという効果を奏する。
【００２０】
また、前記フィルター部は、前記送風装置により前記吸込口から吸い込まれた空気が通過するネット部分と、前記ネット部分を支持するフレーム部分と、前記フレーム部分に設けられる係合軸と、を含み、前記取っ手部は、前記係合軸と係合する軸保持部分と、前記軸保持部分から延設され、前記フレーム部分の一部と当接する当接面と、を含むという構成であってもよい。
【００２１】
この構成によれば、フィルター部の係合軸が取っ手部の軸保持部分と係合することで、フィルター部が取っ手部に取り付けられることになる。これにより、フィルター部と取っ手部との組み立てがしやすくなる。また、係合軸が軸保持部分と係合している状態において、取っ手部の一部である当接面はフレーム部分の一部と当接する。これにより、当接面でフィルター部（具体的にはフレーム部分の一部）を支持するので、接続が安定するという効果を奏する。
【００２２】
また、本発明の他の一態様に係る浴室暖房乾燥機は、吸込口、排気口、および送風装置を有する本体と、前記吸込口に設けられるフィルターと、を備えた浴室暖房乾燥機であって、前記送風装置により前記吸込口から吸い込まれた空気は、前記フィルターを通過した後に前記排気口から排気され、前記フィルターは、折り畳み可能である。
【００２３】
これにより、フィルターを折り畳み可能とすることで、清掃時にフィルターを小型化できるという効果を奏する。
【００２４】
また、前記フィルターは、フック部を有する第１フィルター部と、折り畳み軸を有する第２フィルター部と、を含み、前記フック部と前記折り畳み軸との係合により、前記第１フィルター部と前記第２フィルター部とが接続されるという構成であってもよい。
【００２５】
これにより、第１フィルター部と第２フィルター部を折り畳むことでフィルターが小さくなるので、フィルターが洗いやすくなると同時に、第１フィルター部と第２フィルター部が分離しにくいので、紛失の可能性が少なくなるという効果を奏する。
【００２６】
また、前記フィルターは、前記第１フィルター部と、前記第２フィルター部と、折り線部とを含み、前記折り線部を支点に前記第１フィルター部もしくは前記第２フィルター部が回動することで、前記フィルターは折り畳まれるという構成であってもよい。
【００２７】
これにより、第１フィルター部と第２フィルター部とが一体になるので、さらに紛失の可能性が少なくなると同時に、フィルター部の製造コストを抑えることができるという効果を奏する。
【００２８】
以下、本発明の実施の形態について図面を参照しながら説明する。
【００２９】
（実施の形態１）
図１に示すように、浴室暖房乾燥機の本体１は、フロントパネル２と、吸込口３と、排気口４と、送風装置５と、ヒーター４０と、を備える。吸込口３の手前には、フィルター６が挿入される。送風装置５が運転すると、吸込口３から空気が吸い込まれる。吸込口３から吸い込まれる空気中に含まれる塵埃は、フィルター６で捕集される。すなわち、フィルター６により浴室暖房乾燥機の本体１内に塵埃が侵入することが抑制される。そして、フィルター６を通過して本体１内に吸い込まれた空気は、排気口４から屋外等に排気される。
【００３０】
なお、浴室の空気を暖める暖房モードにおいては、吸込口３から吸い込んだ空気がヒーター４０を通過して暖められ、吹出口４１から浴室内に吹き出される。
【００３１】
次に図２〜図４を用いてフィルター６の構成を説明する。
【００３２】
図２に示すように、フィルター６は、フィルター部７と、取っ手部８とを含む。フィルター部７は、塵埃を捕集するための部分である。また、取っ手部８は、フィルター６を吸込口３から取り外し、取り付けを行う際に使用者等が持つ持ち手を含む部分である。フィルター６を本体１に取り付けた状態において、フィルター部７は取っ手部８よりも本体１の中央寄りに位置することとなる。
【００３３】
フィルター６が本体１に設置される状態においては、フィルター部７と取っ手部８は一体であり、例えばフィルター６を清掃する場合には、フィルター部７と取っ手部８は分離可能である。
【００３４】
フィルター部７と取っ手部８の平らな面（持ち手以外の部分）とを、吸込口３側に向けながら本体１に挿入することで、フィルター６を本体１に取り付けることができる。フィルター６は吸込口３を覆うように本体１の下方に設けられる。本体１の下方に設けられるということは、吸込口３から吸い込まれる空気の流れにおいて、吸込口３より上流側にフィルター６が設けられるということである。
【００３５】
図３に示すように、フィルター部７は、第１フィルター部９と、第２フィルター部１０とを含む。また、第１フィルター部９は、第１ネット部分１１と、第１フレーム部分１２とを含み、第２フィルター部１０は、第２ネット部分１３と、第２フレーム部分１４とを含んでいる。
【００３６】
第１ネット部分１１および第２ネット部分１３は、面を通過した空気に含まれる塵埃を捕集する部分である。すなわち、送風装置５により吸込口３から吸い込まれた空気は、第１フィルター部９および第２フィルター部１０のうち、特に第１ネット部分１１または第２ネット部分１３を通過して本体１内に流入する。このため、第１ネット部分１１および第２ネット部分１３に塵埃が溜まりやすく、フィルター６のうち特に第１ネット部分１１および第２ネット部分１３については定期的に清掃を行う必要がある。
【００３７】
第１フレーム部分１２は、第１ネット部分１１を保持する部分である。第１フレーム部分１２は、第１フィルター部９の外周部分を形成し、また例えば図３に示すように十字部分を有することで補強されていてもよい。同様に、第２フレーム部分１４は、第２ネット部分１３を保持する部分である。
【００３８】
第１フレーム部分１２および第２フレーム部分１４は例えば樹脂製である。
【００３９】
図４に示すように、第１フレーム部分１２の一辺に凸部１５を設け、第２フレーム部分１４における第１フレーム部分１２と接する辺に凹部１６を設けている。
【００４０】
また、第１フレーム部分１２の凸部１５と直交する一辺に第１摺動部分１７を備え、第２フレーム部分１４の凹部１６と直交する一辺に第２摺動部分１８を備えている。
【００４１】
次に図５および図６を用いて、第１フィルター部９と第２フィルター部１０と取っ手部８の組み付けについて説明する。
【００４２】
図５に示すように、取っ手部８はレール部分１９を含む。レール部分１９は、例えば取っ手部８において、フィルター部７と取っ手部８が接続される面（持ち手以外の部分）に設けられる。
【００４３】
レール部分１９に第１摺動部分１７、および第２摺動部分１８を挿入して滑らせることで、第１フィルター部９および第２フィルター部１０を取っ手部８に取り付けることができる。
【００４４】
また、図６に示すように、第１フィルター部９と第２フィルター部１０とを取っ手部８に接続する際に、凸部１５と凹部１６とが係合する。すなわち、レール部分１９に第１摺動部分１７、および第２摺動部分１８を挿入して滑らせることで、凹部１６に凸部１５が差し込まれるように係合する。これにより、第１フレーム部分１２と第２フレーム部分１４とが密着し、両部品の隙間から空気が流入することを抑制できる。
【００４５】
なお、フィルター６を分解する際は、まず第１フィルター部９を、第１摺動部分１７をレール部分１９と平行に摺動（スライド）させて取り外し、次に、第２フィルター部１０を、第２摺動部分１８をレール部分１９と平行に摺動させて取り外し、第１フィルター部９の凸部１５と第２フィルター部１０の凹部１６の係合を解除する。
【００４６】
このような構成により、フィルター６が取っ手部８、第１フィルター部９、第２フィルター部１０の三部品に分かれ、一部品あたりの投影面積が小さくなることで水洗いや漬け置き洗い等の清掃がしやすくなる。
【００４７】
なお、第１摺動部分１７は第１フレーム部分１２の凸部１５と直交する二辺に設けてもよい。第２摺動部分１８も同様に、第２フレーム部分１４の凹部１６と直交する二辺に設けてもよい。これにより、フィルター部７の面の奥行き方向どちらからでも第１摺動部分１７および第２摺動部分１８をレール部分１９に挿入することができ、取り付けおよび取り外しやすくなる。
【００４８】
また、上述ではフィルター部７を第１フィルター部９と第２フィルター部１０の二部品に分割したが、この分割数を増やしてもよい。分割数が増えると各フィルター部一つあたりの投影面積が小さくなるため、より小さな容器で水洗いや漬け置き洗い等の清掃を行うことができる。
【００４９】
なお、本実施の形態では、第１フィルター部９を先に取付け、その次に第２フィルター部１０を取り付ける構成としたが、順番はこれに限られず適宜設定できるものとする。
【００５０】
（実施の形態２）
図７、図８、図９を用いて、フィルター６の構成を説明する。
【００５１】
なお、図７〜図９において、図１〜図６と同様の構成要素については同一の符号を付し、その詳細な説明は省略する。
【００５２】
図７に示すように、第１フィルター部９は、第１係合部分２０と、第１接続部分２１を備えている。また、第２フィルター部１０は、第２係合部分２２と、第２接続部分２３を備えている。
【００５３】
第１係合部分２０と第１接続部分２１は、第１フレーム部分１２における直交する二辺に設けられている。また、第２係合部分２２と第２接続部分２３も同様に、第２フレーム部分１４における直交する二辺に設けられている。
【００５４】
取っ手部８には、フィルター部７と接する辺にフィルター接続部分２４を設けている。フィルター接続部分２４は、例えば辺の中心で線対称となっている凹凸部を有する。
【００５５】
第１フィルター部９と第２フィルター部１０とが取っ手部８に取り付けられている状態において、第１係合部分２０は第２係合部分２２と、第１接続部分２１はフィルター接続部分２４と、第２接続部分２３はフィルター接続部分２４と、それぞれ接続される。
【００５６】
図８に示すように、第１フィルター部９の第１係合部分２０、および第１接続部分２１の凹側中央には第１突起２５が、凸側中央には第１穴２６がそれぞれ設けられている。すなわち第１係合部分２０と第１接続部分２１はそれぞれ第１突起２５および第１穴２６を有している。
【００５７】
第２フィルター部１０にも同様に第２突起と第２穴が設けられている。すなわち、第２係合部分２２と第２接続部分２３はそれぞれ第２突起および第２穴を有している。
【００５８】
ここで、第１フィルター部９と第２フィルター部１０は同一形状であり、第１フィルター部９を９０度右回りに回転させることで、第２フィルター部１０とすることができる。第１フィルター部９と第２フィルター部１０が同一形状であるので、接続の際に左右を間違えにくく、且つフィルター部７の製造費用を抑えることもできる。
【００５９】
第１フィルター部９と第２フィルター部１０は同一形状であることで、第１係合部分２０および第２係合部分２２はどちらも、フィルター接続部分２４に接続可能である。すなわち、第１係合部分２０、第２係合部分２２、第１接続部分２１、第２接続部分２３のいずれもがフィルター接続部分２４に接続可能となる。
【００６０】
なお、凹凸部、突起、穴の位置および数は、図示するものに限られず、フィルター６の大きさ等によって適宜設定できるものとする。
【００６１】
図９に示すように、取っ手部８のフィルター接続部分２４の凹部中央には第３突起２７が、凸部中央には第３穴２８がそれぞれ設けられている。また、フィルター接続部分２４の、フィルター６を取り付けた際に床面側となる方向すなわち下方側に支持面２９が設けられている。支持面２９は例えばフィルター６を本体１に取り付けた状態において本体１の内側に向かうように、取っ手部８から突出して設けられる。
【００６２】
このような構成において、第１フィルター部９と第２フィルター部１０を接続する際、第１係合部分２０にある第１突起２５が第２係合部分２２にある第２穴と、第２係合部分２２にある第２突起が第１係合部分２０にある第１穴２６とそれぞれ嵌合する。これにより、第１フィルター部９と第２フィルター部１０が上下方向に抜ける（外れる）ことを抑制し、第１フィルター部９と第２フィルター部１０との接続を安定させることができる。
【００６３】
また、フィルター部７と取っ手部８を接続する際、第１接続部分２１にある第１突起２５が第３穴２８と、第１接続部分２１にある第１穴２６が第３突起２７と、第２接続部分２３にある第２突起が第３穴２８と、第２接続部分２３にある第２穴が第３突起２７と、それぞれ嵌合する。これにより、フィルター部７と取っ手部８との上下方向の接続を安定させることができる。
【００６４】
さらに、第１接続部分２１および第２接続部分２３とフィルター接続部分２４とが接続される下方において、支持面２９は、第１接続部分２１の一部および第２接続部分２３の一部と当接する。つまり、支持面２９は第１接続部分２１、第２接続部分２３、フィルター接続部分２４の接続部分を下から支える。これにより、フィルター部７と取っ手部８との接続をさらに安定させることができる。また、支持面２９により、フィルター部７と取っ手部８との接続部分がより密着することになるので、フィルター部７と取っ手部８との接続部分から空気が流入することを抑制できる。
【００６５】
また、フィルター６を分解する際は、まずフィルター部７を上面に押し上げ、取っ手部８のフィルター接続部分２４と、フィルター部７の第１接続部分２１および第２接続部分２３との嵌合を外す。次に、第１フィルター部９の第１係合部分２０と、第２フィルター部１０の第２係合部分２２のどちらか片方のみを押し上げ、第１係合部分２０と第２係合部分２２の係合を外す。これにより、フィルター６は取っ手部８、第１フィルター部９、第２フィルター部１０の三部品に分かれ、一部品あたりの投影面積が小さくなることで水洗いや漬け置き洗い等の清掃がしやすくなる。
【００６６】
（実施の形態３）
次に図１０〜図１２を用いて、実施の形態３に係るフィルター６の構成を説明する。なお、図１０〜図１２において、図１〜図９と同様の構成要素については同一の符号を付し、その詳細な説明は省略する。
【００６７】
図１０に示すように、取っ手部８は、軸保持部分３０と、軸保持部分３０から延設される当接面３１と、を含む。このとき、図１１に示すように、フィルター部７は、係合軸３３を有する。
【００６８】
軸保持部分３０は、開口３２を有する。軸保持部分３０は、取っ手部８の長手方向にわたって設けられる。軸保持部分３０は例えば２つ設けられる。
【００６９】
当接面３１は、軸保持部分３０から延設される面である。
【００７０】
開口３２は、取っ手部８を本体１に取り付けた状態において、本体１の内部に向かって開口するように設けられる。
【００７１】
係合軸３３はフレーム部分の一辺に設けられる。係合軸３３は、例えば円柱形状である。
【００７２】
図１２に示すように、係合軸３３は、軸保持部分３０が有する開口３２と係合する。言い換えると、開口３２に係合軸３３が挿入され、軸保持部分３０と係合する。これにより、フィルター部７と取っ手部８が接続される。フィルター部７と取っ手部８とが接続された状態で本体１に取り付けられる。
【００７３】
なお、第１フィルター部９と第２フィルター部１０は同一形状であることが好ましい。これにより、取っ手部８の左右どちら側にも第１フィルター部９、および第２フィルター部１０を係合させることができる。
【００７４】
また、係合軸３３が軸保持部分３０と係合している状態において、当接面３１は、フィルター部７の第１フレーム部分１２もしくは第２フレーム部分１４の一部と当接し、フィルター部７を下から支える。これにより、フィルター部７の係合軸３３が取っ手部８の軸保持部分３０で回転するのを抑制し、接続を安定させることができる。なお、当接面３１はフレーム部分の一部と当接し、フィルター部７の下方向への回転を規制するのに十分な長さ（面積）であればよい。
【００７５】
なお、フィルター６は、折り畳み可能であってもよい。折り畳み可能である場合、フィルター６は展開された状態で浴室暖房乾燥機の本体１に取り付けられる。一方、フィルター６を取り外し、使用者が掃除等を行う場合には、フィルター６は折り畳まれた状態となる。これにより、使用時には１つのフィルターで風路を広く確保しつつ、本体から取り外した状態では折り畳むことで小型化して掃除等がしやすくなる。
【００７６】
例えば、フィルター６は、第１フィルター部９と第２フィルター部１０とがそれぞれが重なり合うように折りたたみが可能という構成にしてもよい。これにより、第１フィルター部９と第２フィルター部１０を折りたたむことでフィルター６の投影面積が小さくなり、水洗いや漬け置き洗い等の清掃がしやすいという効果を奏する。
【００７７】
また、フィルター６は、第１フィルター部９と、第２フィルター部１０それぞれの略中央で折りたたみが可能という構成にしてもよい。これにより、第１フィルター部９と第２フィルター部１０を折りたたむことでフィルター６の投影面積が小さくなり、水洗いや漬け置き洗い等の清掃がしやすいという効果を奏する。
【００７８】
フィルター６が折り畳み可能である場合の構成について、図面を参照しながら説明する。
【００７９】
（実施の形態４）
図１３に示すように、第１フィルター部９と第２フィルター部１０は、ヒンジ部３４により折り畳み可能であっても良い。
【００８０】
ヒンジ部３４は、折り畳み軸３５と、フック部３６を有する。
【００８１】
図１４に示すように、折り畳み軸３５は、第１フィルター部９の第１フレーム部分１２の一辺に備えられる。フック部３６は、第２フィルター部１０の第２フレーム部分１４の一辺に備えられる。フック部３６が設けられる辺と折り畳み軸３５が設けられる辺は、第１フィルター部９と第２フィルター部１０の隣り合う辺である。フック部３６に、折り畳み軸３５を係合させることで、ヒンジ部３４が組み上がる。すなわち、フック部３６と折り畳み軸３５とが係合することで、第１フィルター部９と第２フィルター部１０とが接続される。そして、図１３に示す状態から、ヒンジ部３４を回転させることで、第１フィルター部９と第２フィルター部１０とをヒンジ部３４を中心軸として図１５に示す状態に折り畳むことができる。言い換えると、ヒンジ部３４を中心に、第１フィルター部９と第２フィルター部１０とが重なり合うように折り畳まれる。
【００８２】
（実施の形態５）
図１６と図１７に示すように、第１フィルター部９と第２フィルター部１０とが第１フレーム部分１２と第２フレーム部分１４との一辺で一体化し、折り線部３７で折り畳み可能であっても良い。言い換えると、折り線部３７を支点に第１フィルター部９もしくは第２フィルター部１０が回動することで、フィルターは折り畳まれるという構成であってもよい。
【００８３】
折り線部３７は、第１フィルター部９の第１フレーム部分１２の一辺と、第２フィルター部１０の第２フレーム部分１４の一辺で共有される。すなわち、折り線部３７は、第１フレーム部分１２の一辺でもあり、第２フレーム部分１４の一辺でもある。折り線部３７は、第１フレーム部分１２と第２フレーム部分１４が接続される一辺の一部を切り欠いた部分である。第１フィルター部９と、第２フィルター部１０は、折り線部３７を介して一体化している。
【００８４】
折り線部３７に沿って、第１フィルター部９または第２フィルター部１０を折ることで、第１フィルター部９と第２フィルター部１０とを折り線部３７を中心線として折り畳むことができる。
【００８５】
なお、本実施の形態では第１フレーム部分１２および第２フレーム部分１４の底面で接続される構成としたが、フレーム部分の高さ方向の中心や、上面で接続される構成であってもよい。すなわち、折り畳まれる方向は適宜設定できるものであってよい。
【００８６】
また、フィルター６が折り畳み可能な構成において、フィルター部７と取っ手部８との接続は、スライド式でもよいし、嵌め合わせる構成でもよい。また、取っ手部８をフレーム部分と一体に設けてもよい。
【００８７】
なお、本明細書での実施例においてはフィルター部７を第１フィルター部９と第２フィルター部１０の二部品に分割したが、例えば３つに分割する等、分割数を増やしてもよい。分割数が増えると各フィルター部一つあたりの投影面積が小さくなるため、より小さな容器で水洗いや漬け置き洗い等の清掃を行うことができる。
【００８８】
フィルター６を折り畳む構成において分割数を増やした場合には、例えば三つ折りにするなど折り畳み方は適宜設定するものとする。
【００８９】
なお、本明細書における「密着」とは空気の流入を抑制できる程度に接触していればよい。
【００９０】
以上、本発明に係る浴室暖房乾燥機について、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。例えば、本発明に係る浴室暖房乾燥機に代えて、一般的な換気装置または空気調和装置にも適用可能である。ここで、空気調和装置に適用する場合、送風装置により吸込口から吸い込まれ、フィルター部を通過した空気は、空気調和された後に、排気口に代えて循環口（不図示）から室内に吹き出されることになる。
【産業上の利用可能性】
【００９１】
本発明に係る浴室暖房乾燥機は、フィルターを分解できるため、清掃しやすいという効果を得ることができるものであるので、送風装置内への塵埃侵入を防ぐフィルターを備えた浴室用の換気装置等として有用である。
【符号の説明】
【００９２】
１    本体
２    フロントパネル
３    吸込口
４    排気口
５    送風装置
６    フィルター
７    フィルター部
８    取っ手部
９    第１フィルター部
１０    第２フィルター部
１１    第１ネット部分
１２    第１フレーム部分
１３    第２ネット部分
１４    第２フレーム部分
１５    凸部
１６    凹部
１７    第１摺動部分
１８    第２摺動部分
１９    レール部分
２０    第１係合部分
２１    第１接続部分
２２    第２係合部分
２３    第２接続部分
２４    フィルター接続部分
２５    第１突起
２６    第１穴
２７    第３突起
２８    第３穴
２９    支持面
３０    軸保持部分
３１    当接面
３２    開口
３３    係合軸
３４    ヒンジ部
３５    折り畳み軸
３６    フック部
３７    折り線部
４０    ヒーター
４１    吹出口
１０１    本体
１０２    フロントパネル
１０３    吸込口
１０４    フィルター
１０５    吹出口
１０６    ネット
１０７    フィルター枠
１０８    取っ手
【図１】
2019174100.tif 000003
【図２】
2019174100.tif 000004
【図３】
2019174100.tif 000005
【図４】
2019174100.tif 000006
【図５】
2019174100.tif 000007
【図６】
2019174100.tif 000008
【図７】
2019174100.tif 000009
【図８】
2019174100.tif 000010
【図９】
2019174100.tif 000011
【図１０】
2019174100.tif 000012
【図１１】
2019174100.tif 000013
【図１２】
2019174100.tif 000014
【図１３】
2019174100.tif 000015
【図１４】
2019174100.tif 000016
【図１５】
2019174100.tif 000017
【図１６】
2019174100.tif 000018
【図１７】
2019174100.tif 000019
【図１８】
2019174100.tif 000020
【図１９】
2019174100.tif 000021